(57)【要約】【課題】通電時に、好ましくないガスやイオンの発生を抑制して薬物イオンの投与効率を向上させたイオントフォレーシス装置を提供する。【解決手段】イオントフォレーシス装置１０は、作用側電極構造体２０と非作用側電極構造体４０とを有し、作用側電極構造体２０は、作用側電極２４、セパレータ２６、第２イオン選択性膜２８、薬液保持部３０、第１イオン選択性膜３２を有し、作用側電極２４は作用側集電体２４Ａと作用側分極性電極２４Ｂとから構成され、非作用側電極構造体４０は非作用側電極４４、電極側電解液保持部４６、先端側電解液保持部４８、第３イオン選択性膜５０を有し、非作用側電極４４は、非作用側集電体４４Ａと非作用側分極性電極４４Ｂとから構成されている。【選択図】図１
2007260082.tif 000002
【特許請求の範囲】
【請求項１】
作用側電極構造体及び非作用側電極構造体と、これら作用側電極構造体及び非作用側電極構造体に接続された直流電源と、から構成され、前記作用側電極構造体に保持される薬物イオンを、前記直流電源からの電圧によって、生体に投与するためのイオントフォレーシス装置であって、
前記作用側電極構造体は、
前記直流電源における、前記薬物イオンと同種の極性の陽極又は陰極に電気的に接続された作用側分極性電極を含む作用側電極と、
この作用側分極性電極の前面に配置され、前記薬物イオンと反対符号のイオンを選択的に通過させる第２イオン選択性膜と、
前記第２イオン選択性膜の前面に配置され、前記薬物イオンとなる薬物を保持する薬液保持部と、
前記薬液保持部の前面に配置され、前記薬物イオンと同種のイオンを選択的に通過させる第１イオン選択性膜と、
を有してなり、
前記非作用側電極構造体は、
前記直流電源における、前記薬物イオンと反対の極性の陽極又は陰極に電気的に接続された非作用側分極性電極を含む非作用側電極と、
前記非作用側分極性電極の前面に配置され、電解液を保持する電解液保持部と、
前記電解液保持部の前面に配置され、前記薬物イオンと反対符号のイオンを選択的に通過させる第３イオン選択性膜と、
を有してなることを特徴とするイオントフォレーシス装置。
【請求項２】
請求項１において、
前記作用側電極は、前記直流電源に接続された作用側集電体と、この作用側集電体の前面に電気的に接続して配置された前記作用側分極性電極とから構成されていることを特徴とするイオントフォレーシス装置。
【請求項３】
請求項２において、
前記作用側分極性電極は、活性炭繊維により構成されていることを特徴とするイオントフォレーシス装置。
【請求項４】
請求項３において、
前記作用側分極性電極は、前記薬物を含有する粘性液体を前記活性炭繊維に含浸させて構成されていることを特徴とするイオントフォレーシス装置。
【請求項５】
請求項１乃至４のいずれかにおいて、
前記作用側分極性電極と前記第２イオン選択性膜との間に、両者の電気的接続を維持しつつ、直接の接触を防止するためのセパレータを介在させたことを特徴とするイオントフォレーシス装置。
【請求項６】
請求項５において、
前記セパレータは、前記薬物を含有する粘性液体を不織布に含浸させて構成されたことを特徴とするイオントフォレーシス装置。
【請求項７】
請求項１乃至６のいずれかにおいて、
前記薬液保持部は、前記薬物イオンとなる薬物を含有する粘性液体を不織布に含浸させて構成されたことを特徴とするイオントフォレーシス装置。
【請求項８】
請求項１乃至７のいずれかにおいて、
前記第１イオン選択性膜の前面に、前記薬物を含有する粘性液体を塗布して形成された作用側生体接触部を設けたことを特徴とするイオントフォレーシス装置。
【請求項９】
請求項１乃至８のいずれかにおいて、
前記非作用側電極は、前記直流電源に接続された非作用側集電体と、この非作用側集電体の前面に電気的に接続して配置された前記非作用側分極性電極とから構成されていることを特徴とするイオントフォレーシス装置。
【請求項１０】
請求項９において、
前記非作用側分極性電極は、活性炭繊維により構成されていることを特徴とするイオントフォレーシス装置。
【請求項１１】
請求項１０において、
前記非作用側電極における前記非作用側分極性電極は、前記電解液を含む粘性液体を前記活性炭繊維に含浸させて構成されていることを特徴とするイオントフォレーシス装置。
【請求項１２】
請求項１乃至１１のいずれかにおいて、
前記電解液保持部は、電解液を含有する粘性液体を不織布に含浸させて構成されたことを特徴とするイオントフォレーシス装置。
【請求項１３】
請求項１乃至１２のいずれかにおいて、
前記電解液保持部は、
前記非作用側分極性電極の前面に配置された電極側電解液保持部と、
この電極側電解液保持部の前面に配置された先端側電解液保持部と、から構成されたことを特徴とするイオントフォレーシス装置。
【請求項１４】
請求項１乃至１３のいずれかにおいて、
前記第３イオン選択性膜の前面に、前記電解液保持部に保持されている電解液と同一の電解液を含む粘性液体を塗布して形成された非作用側生体接触部を設けたことを特徴とするイオントフォレーシス装置。
【請求項１５】
請求項１乃至１４のいずれかにおいて、
前記第２イオン選択性膜と第１イオン選択性膜との間に、シート状の先端支持体を設けてなり、
前記先端支持体は、前記第２イオン選択性膜と第１イオン選択性膜の平面形状における外形よりもやや小さい形状の作用側先端貫通孔を有し、
前記薬液保持部は、前記作用側先端貫通孔内に配置されると共に、前記第２イオン選択性膜と第１イオン選択性膜との間に、その厚さ方向両側から挟持されていることを特徴とするイオントフォレーシス装置。
【請求項１６】
請求項１乃至１４のいずれかにおいて、
前記第２イオン選択性膜の後側にシート状の中間支持体を設けてなり、
前記中間支持体は、前記第２イオン選択性膜の平面形状における外形よりもやや小さい
形状の作用側中間貫通孔を有し、且つ、この作用側中間貫通孔の周囲が、前記第２イオン選択性膜の外周に接触していることを特徴とするイオントフォレーシス装置。
【請求項１７】
請求項１５において、
前記第２イオン選択性膜の後側にシート状の中間支持体を設けてなり、
前記中間支持体は、前記第２イオン選択性膜の平面形状における外形よりもやや小さい
形状の作用側中間貫通孔を有し、且つ、前記先端支持体との間に、前記第２イオン選択性膜の外周を挟持していることを特徴とするイオントフォレーシス装置。
【請求項１８】
請求項１６又は１７において、
前記作用側電極の後側に、シート状の基端支持体を設け、この基端支持体と前記中間支持体との間に、前記作用側電極を挟持したことを特徴とするイオントフォレーシス装置。
【請求項１９】
請求項１８において、
前記作用側電極は、前記直流電源に接続された作用側集電体と、この作用側集電体の前面に電気的に接続して配置された前記作用側分極性電極とから構成され、
前記作用側分極性電極が、前記中間支持体における前記作用側中間貫通孔内に配置されていることを特徴とするイオントフォレーシス装置。
【請求項２０】
請求項１５乃至１９のいずれかにおいて、
前記電解液保持部は、
前記非作用側分極性電極の前面に配置された電極側電解液保持部と、
この電極側電解液保持部の前面に配置された先端側電解液保持部と、から構成され、
前記先端支持体に、前記第３イオン選択性膜と電極側電解液保持部の平面形状よりもやや小さい形状の非作用側先端貫通孔を設け、この先端支持体の前面に、前記第３イオン選択性膜を、後面に前記電極側電解液保持部をそれぞれ配置し、
前記先端側電解液保持部を、前記非作用側先端貫通孔内に配置すると共に、その厚さ方向両側から前記電極側電解液保持部と第３イオン選択性膜との間に挟持していることを特徴とするイオントフォレーシス装置。
【請求項２１】
請求項１８において、
前記非作用側電極は、前記直流電源に接続された非作用側集電体と、この非作用側集電体の前面に電気的に接続して配置された前記非作用側分極性電極とから構成され、
前記非作用側集電体が、前記基端支持体と中間支持体との間に挟持されたことを特徴とするイオントフォレーシス装置。
【請求項２２】
請求項１５乃至２１のいずれかにおいて、
前記第２イオン選択性膜の後側にシート状の中間支持体を設けてなり、
前記電解液保持部は、
前記非作用側分極性電極の前面に配置された電極側電解液保持部と、
この電極側電解液保持部の前面に配置された先端側電解液保持部と、から構成され、
前記非作用側電極は、前記直流電源に接続された非作用側集電体と、この非作用側集電体の前面に電気的に接続して配置された前記非作用側分極性電極とから構成され、
前記中間支持体に前記電極側電解液保持部の平面形状よりもやや小さい形状の非作用側中間貫通孔を設け、前記非作用側分極性電極を、前記非作用側中間貫通孔内に配置し、且つ、前記非作用側集電体と電極側電解液保持部とにより挟持したことを特徴とするイオントフォレーシス装置。
【請求項２３】
請求項１乃至２２のいずれかにおいて、
前記作用側電極は、作用側集電体及びこれに電気的に接続する前記作用側分極性電極からなり、非作用側電極は、非作用側集電体及びこれに電気的に接続する前記非作用側分極性電極からなり、前記作用側集電体及び非作用側集電体は、一枚の樹脂シートの前面に、相互に隙間をもって形成された導電性材料からなることを特徴とするイオントフォレーシス装置。
【請求項２４】
請求項２３において、
前記第２イオン選択性膜の後側にシート状の中間支持体を設けてなり、
前記樹脂シートを含む樹脂シート側部材と前記中間支持体とを、前記作用側集電体と非作用側集電体との中間位置で、これらを隔絶する範囲で接着したことを特徴とするイオントフォレーシス装置。
【請求項２５】
請求項２３又は２４において、
前記樹脂シートには、前記作用側集電体に接続される作用側導線及び非作用側集電体に接続される非作用側導線が、炭素を含む膜及び金属膜の一方により形成されていることを特徴とするイオントフォレーシス装置。
【請求項２６】
請求項１５において、
前記先端支持体の両面における、前記作用側先端貫通孔の周囲には、第１イオン選択性膜及び第２イオン選択性膜の外形及び厚さとほぼ等しい外形及び深さの段差部が形成されたことを特徴とするイオントフォレーシス装置。
【請求項２７】
請求項１６において、
前記中間支持体の前面における、前記作用側中間貫通孔の周囲には、前記第２イオン選択性膜の外形及び厚さとほぼ等しい外形及び深さの段差部が形成されたことを特徴とするイオントフォレーシス装置。
【請求項２８】
請求項２０において、
前記先端支持体の両面における、前記非作用側先端貫通孔の周囲には、第３イオン選択性膜及び電極側電解液保持部の外形及び厚さとほぼ等しい外形及び深さの段差部が形成されたことを特徴とするイオントフォレーシス装置。
【請求項２９】
請求項２２において、
前記中間支持体の前面における、前記非作用側中間貫通孔の周囲には、電極側電解液保持部の外形及び厚さとほぼ等しい外形及び厚さの段差部が形成されたことを特徴とするイオントフォレーシス装置。
【発明の詳細な説明】
【技術分野】
【０００１】
本発明は、薬物イオンを、電圧を印加することによって生体に投与するためのイオントフォレーシス装置に関する。
【背景技術】
【０００２】
上記のようなイオントフォレーシス装置としては、特許文献１に記載されるように、作用側電極構造体及び非作用側電極構造体を有し、作用側電極構造体のイオン交換膜から薬液イオンを、皮膚や粘膜に投与させるものがある。
【０００３】
この特許文献１に記載されるイオントフォレーシス装置における作用側電極構造体は、皮膚や粘膜との接触側から、第１イオン交換膜、薬液保持部、第２イオン交換膜、第１電解液保持部、作用側電極の順で積層して構成されている。
【０００４】
又、非作用側電極構造体は、皮膚や粘膜との接触側から、第４イオン交換膜、第３電解液保持部、第３イオン交換膜、第２電解液保持部及び非作用側電極をこの順で積層して構成されている。
【０００５】
この特許文献１に記載されるイオントフォレーシス装置では、薬液保持部の薬液と電解液とが、第２イオン交換膜によって区画されているため、電解液の組成を薬物と独立に選択することが可能であり、従って、通電により塩素イオンを発生しない電解液を使用することが可能であり、電解液中の電解質として、水の電気分解よりも酸化又は還元電位の低いものを選択することによって、水の電気分解に起因する酸素ガスや水素ガス、水素イオンや水酸基イオンの生成を抑制することが可能であるとされている。
【０００６】
又、複数種類の電解質を溶解させた緩衝電解液を使用することによって、水素イオンや水酸基イオンの生成によるｐＨ変化を抑制することもでき、更に、このイオントフォレーシス装置では、薬物イオンの電解液保持部への移行が、第２イオン交換膜により遮断されるために、通電時の化学反応によって薬物が変質する問題が解決されるとしている。
【０００７】
しかしながら、上記のイオントフォレーシス装置においても、通電時における電極反応の抑制が不十分であり、この電極反応が生じると、電解液や薬物への通電量が低減され、その結果、酸素ガス、塩素ガス又は水素ガスなどの好ましくないガスの発生、あるいは水素イオン、水酸基イオン、次亜塩素酸などの好ましくないイオンが発生してしまうことがあるという問題点が残る。
【０００８】
更に、この特許文献１記載のイオントフォレーシス装置では、装置を構成する部品数が多く、又、電解液保持部や薬液保持部は、例えばゲル状態とした場合でも、変形し易く、且つ含水率が高い状態での取り扱いが必要になることから、製造の自動化や大量生産化が困難であり、製造コストが高くなってしまうという問題点がある。
【０００９】
【特許文献１】ＷＯ０３０３７４２５号公報
【発明の開示】
【発明が解決しようとする課題】
【００１０】
この発明は、通電時における電極反応を抑制し、電極反応を低減させた状態で、電解液や薬物への通電をすることができるようにしたイオントフォレーシス装置を提供することを解決課題とする。又、製造の自動化や大量生産化が容易で、且つ、低コストで製造することができるイオントフォレーシス装置を提供することを解決課題とする。
【課題を解決するための手段】
【００１１】
即ち、以下のような実施例により上記課題を解決することができる。
【００１２】
（１）作用側電極構造体及び非作用側電極構造体と、これら作用側電極構造体及び非作用側電極構造体に接続された直流電源と、から構成され、前記作用側電極構造体に保持される薬物イオンを、前記直流電源からの電圧によって、生体に投与するためのイオントフォレーシス装置であって、前記作用側電極構造体は、前記直流電源における、前記薬物イオンと同種の極性の陽極又は陰極に電気的に接続された作用側分極性電極を含む作用側電極と、この作用側分極性電極の前面に配置され、前記薬物イオンと反対符号のイオンを選択的に通過させる第２イオン選択性膜と、前記第２イオン選択性膜の前面に配置され、前記薬物イオンとなる薬物を保持する薬液保持部と、前記薬液保持部の前面に配置され、前記薬物イオンと同種のイオンを選択的に通過させる第１イオン選択性膜と、を有してなり、前記非作用側電極構造体は、前記直流電源における、前記薬物イオンと反対の極性の陽極又は陰極に電気的に接続された非作用側分極性電極を含む非作用側電極と、前記非作用側分極性電極の前面に配置され、電解液を保持する電解液保持部と、前記電解液保持部の前面に配置され、前記薬物イオンと反対符号のイオンを選択的に通過させる第３イオン選択性膜と、を有してなることを特徴とするイオントフォレーシス装置。
【００１３】
（２）前記作用側電極は、前記直流電源に接続された作用側集電体と、この作用側集電体の前面に電気的に接続して配置された前記作用側分極性電極とから構成されていることを特徴とする（１）に記載のイオントフォレーシス装置。
【００１４】
（３）前記作用側分極性電極は、活性炭繊維により構成されていることを特徴とする（２）に記載のイオントフォレーシス装置。
【００１５】
（４）前記作用側分極性電極は、前記薬物を含有する粘性液体を活性炭繊維に含浸させて構成されていることを特徴とする（３）に記載のイオントフォレーシス装置。
【００１６】
（５）前記作用側分極性電極と前記第２イオン選択性膜との間に、両者の電気的接続を維持しつつ、直接の接触を防止するためのセパレータを介在させたことを特徴とする（１）乃至（４）に記載のイオントフォレーシス装置。
【００１７】
（６）前記セパレータは、前記薬物を含有する粘性液体を不織布に含浸させて構成されたことを特徴とする（５）に記載のイオントフォレーシス装置。
【００１８】
（７）前記薬液保持部は、前記薬物イオンとなる薬物を含有する粘性液体を不織布に含浸させて構成されたことを特徴とする（１）乃至（６）のいずれかに記載のイオントフォレーシス装置。
【００１９】
（８）前記第１イオン選択性膜の前面に、前記薬物を含有する粘性液体を塗布して形成された作用側生体接触部を設けたことを特徴とする（１）乃至（７）のいずれかに記載のイオントフォレーシス装置。
【００２０】
（９）前記非作用側電極は、前記直流電源に接続された非作用側集電体と、この非作用側集電体の前面に電気的に接続して配置された前記非作用側分極性電極とから構成されていることを特徴とする（１）乃至（８）のいずれかに記載のイオントフォレーシス装置。
【００２１】
（１０）前記非作用側分極性電極は、活性炭繊維により構成されていることを特徴とする（９）に記載のイオントフォレーシス装置。
【００２２】
（１１）前記非作用側電極における前記非作用側分極性電極は、前記電解液を含む粘性液体を前記活性炭繊維に含浸させて構成されたことを特徴とする（１０）に記載のイオントフォレーシス装置。
【００２３】
（１２）前記電解液保持部は、電解液を含有する粘性液体を不織布に含浸させて構成されたことを特徴とする（１）乃至（１１）のいずれかに記載のイオントフォレーシス装置。
【００２４】
（１３）前記電解液保持部は、  前記非作用側分極性電極の前面に配置された電極側電解液保持部と、この電極側電解液保持部の前面に配置された先端側電解液保持部と、から構成されたことを特徴とする（１）乃至（１２）のいずれかの記載のイオントフォレーシス装置。
【００２５】
（１４）前記第３イオン選択性膜の前面に、前記電解液保持部に保持されている電解液と同一の電解液を含む粘性液体を塗布して形成された非作用側生体接触部を設けたことを特徴とする（１）乃至（１３）のいずれかに記載のイオントフォレーシス装置。
【００２６】
（１５）前記第２イオン選択性膜と第１イオン選択性膜との間に、シート状の先端支持体を設けてなり、前記先端支持体は、前記第２イオン選択性膜と第１イオン選択性膜の平面形状における外形よりもやや小さい形状の作用側先端貫通孔を有し、前記薬液保持部は、前記作用側先端貫通孔内に配置されると共に、前記第２イオン選択性膜と第１イオン選択性膜との間に、その厚さ方向両側から挟持されていることを特徴とする（１）乃至（１４）に記載のイオントフォレーシス装置。
【００２７】
（１６）前記第２イオン選択性膜の後側にシート状の中間支持体を設けてなり、前記中間支持体は、前記第２イオン選択性膜の平面形状における外形よりもやや小さい形状の作用側中間貫通孔を有し、且つ、この作用側中間貫通孔の周囲が、前記第２イオン選択性膜の外周に接触していることを特徴とする（１）乃至（１４）のいずれかにに記載のイオントフォレーシス装置。
【００２８】
（１７）前記第２イオン選択性膜の後側にシート状の中間支持体を設けてなり、前記中間支持体は、前記第２イオン選択性膜の平面形状における外形よりもやや小さい形状の作用側中間貫通孔を有し、且つ、前記先端支持体との間に、前記第２イオン選択性膜の外周を挟持していることを特徴とする（１５）に記載のイオントフォレーシス装置。
【００２９】
（１８）前記作用側電極の後側に、シート状の基端支持体を設け、この基端支持体と前記中間支持体との間に、前記作用側電極を挟持したことを特徴とする（１６）又は（１７）に記載のイオントフォレーシス装置。
【００３０】
（１９）前記作用側電極は、前記直流電源に接続された作用側集電体と、この作用側集電体の前面に電気的に接続して配置された前記作用側分極性電極とから構成され、前記作用側分極性電極が、前記中間支持体における前記作用側中間貫通孔内に配置されていることを特徴とする（１８）に記載のイオントフォレーシス装置。
【００３１】
（２０）前記電解液保持部は、前記非作用側分極性電極の前面に配置された電極側電解液保持部と、この電極側電解液保持部の前面に配置された先端側電解液保持部と、から構成され、前記先端支持体に、前記第３イオン選択性膜と電極側電解液保持部の平面形状よりもやや小さい形状の非作用側先端貫通孔を設け、この先端支持体の前面に、前記第３イオン選択性膜を、後面に前記電極側電解液保持部をそれぞれ配置し、前記先端側電解液保持部を、前記非作用側先端貫通孔内に配置すると共に、その厚さ方向両側から前記電極側電解液保持部と第３イオン選択性膜との間に挟持していることを特徴とする（１５）乃至（１９）のいずれかに記載のイオントフォレーシス装置。
【００３２】
（２１）前記非作用側電極は、前記直流電源に接続された非作用側集電体と、この非作用側集電体の前面に電気的に接続して配置された前記非作用側分極性電極とから構成され、前記非作用側集電体が、前記基端支持体と中間支持体との間に挟持されたことを特徴とする（１８）に記載のイオントフォレーシス装置。
【００３３】
（２２）前記第２イオン選択性膜の後側にシート状の中間支持体を設けてなり、前記電解液保持部は、前記非作用側分極性電極の前面に配置された電極側電解液保持部と、この電極側電解液保持部の前面に配置された先端側電解液保持部と、から構成され、前記非作用側電極は、前記直流電源に接続された非作用側集電体と、この非作用側集電体の前面に電気的に接続して配置された前記非作用側分極性電極とから構成され、前記中間支持体に前記電極側電解液保持部の平面形状よりもやや小さい形状の非作用側中間貫通孔を設け、前記非作用側分極性電極を、前記非作用側中間貫通孔内に配置し、且つ、前記非作用側集電体と電極側電解液保持部とにより挟持したことを特徴とする（１５）乃至（２１）のいずれかに記載のイオントフォレーシス装置。
【００３４】
（２３）前記作用側電極は、作用側集電体及びこれに電気的に接続する前記作用側分極性電極からなり、非作用側電極は、非作用側集電体及びこれに電気的に接続する前記非作用側分極性電極からなり、前記作用側集電体及び非作用側集電体は、一枚の樹脂シートの前面に、相互に隙間をもって形成された導電性材料からなることを特徴とする（１）乃至（２２）のいずれかに記載のイオントフォレーシス装置。
【００３５】
（２４）前記第２イオン選択性膜の後側にシート状の中間支持体を設けてなり、前記樹脂シートを含む樹脂シート側部材と前記中間支持体とを、前記作用側集電体と非作用側集電体との中間位置で、これらを隔絶する範囲で接着したことを特徴とする（２３）に記載のイオントフォレーシス装置。
【００３６】
（２５）前記樹脂シートには、前記作用側集電体に接続される作用側導線及び非作用側集電体に接続される非作用側導線が、炭素を含む膜及び金属膜の一方により形成されていることを特徴とする（２３）又は（２４）に記載のイオントフォレーシス装置。
【００３７】
（２６）前記先端支持体の両面における、前記作用側先端貫通孔の周囲には、第１イオン選択性膜及び第２イオン選択性膜の外形及び厚さとほぼ等しい外形及び深さの段差部が形成されたことを特徴とする（１５）に記載のイオントフォレーシス装置。
【００３８】
（２７）前記中間支持体の前面における、前記作用側中間貫通孔の周囲には、前記第２イオン選択性膜の外形及び厚さとほぼ等しい外形及び深さの段差部が形成されたことを特徴とする（１６）に記載のイオントフォレーシス装置。
【００３９】
（２８）前記先端支持体の両面における、前記非作用側先端貫通孔の周囲には、第３イオン選択性膜及び電極側電解液保持部の外形及び厚さとほぼ等しい外形及び深さの段差部が形成されたことを特徴とする（２０）に記載のイオントフォレーシス装置。
【００４０】
（２９）前記中間支持体の前面における、前記非作用側中間貫通孔の周囲には、電極側電解液保持部の外形及び厚さとほぼ等しい外形及び厚さの段差部が形成されたことを特徴とする（２２）に記載のイオントフォレーシス装置。
【発明の効果】
【００４１】
この発明においては、作用側電極を、作用側分極性電極を含んで構成し、且つ、非作用側電極を、非作用側分極性電極を含んで構成しているので、通電時の電極反応がなく、あるいは低減され、塩素ガスなどの好ましくないガスの発生、水素イオンなどの好ましくないイオンの発生を抑制し、薬物イオンの投与効率を増大させることができる。
【発明を実施するための最良の形態】
【００４２】
次に、図１〜図４を参照して、本発明の実施の形態の例に係るイオントフォレーシス装置１０について詳細に説明する。
【００４３】
このイオントフォレーシス装置１０は、直流電源１２と、この直流電源１２の陽極及び陰極の一方に接続された作用側電極構造体２０及び他方に接続された非作用側電極構造体４０とから構成され、作用側電極構造体２０に保持される薬物イオンを、直流電源１２からの電圧によって生体に投与するものである。
【００４４】
このイオントフォレーシス装置１０において、作用側電極構造体２０及び非作用側電極構造体４０は、薬液保持部等の構成部材を、重ね合わせた、いずれも樹脂シートからなる基端支持体１４と中間支持体１６との間に挟持し、あるいは中間支持体１６及び先端支持体部１８に形成される貫通孔に収納して構成されている。基端支持体１４と中間支持体１６とは同一の大きさとされ、又、先端支持体１８はこれらより大きく形成されている。
【００４５】
基端支持体１４、中間支持体１６及び先端支持体１８は、いずれも図４において下側面に粘着層１４Ａ、１６Ａ、１８Ａが設けられていて、相互に粘着されるとともに、先端支持体１８の粘着層１８Ａは、皮膚又は粘膜に粘着するようにされている。
【００４６】
ここで、中間支持体１６は、作用側電極構造体２０の一部、及び、非作用側電極構造体４０の一部を構成する一枚のシート状部材とされている。
【００４７】
同様に、先端支持体１８は、作用側電極構造体２０の一部、及び、非作用側電極構造体４０の一部を構成する一枚のシート状部材とされている。
【００４８】
作用側電極構造体２０は、直流電源１２における薬物イオンと同種の極性の、陽極又は陰極に接続された作用側電極２４と、この作用側電極２４の前面に配置されたセパレータ２６と、このセパレータ２６の前面に配置され、薬物イオンと反対符号のイオンを選択的に通過させる第２イオン選択性膜２８と、この第２イオン選択性膜２８の前面に配置され、薬物イオンとなる薬物を保持する薬液保持部３０と、薬液保持部３０の前面に配置され、薬物イオンと同種のイオンを選択的に通過させる第１イオン選択性膜３２と、この第１イオン選択性膜３２の前面に、薬物と同一の薬物を含む粘性液体を塗布して形成された作用側生体接触部３４とを、この順で積層して構成されている。
【００４９】
作用側電極２４は、直流電源１２に接続され、且つ、樹脂シート３６の前面に印刷により形成された膜状の炭素からなる作用側集電体２４Ａと、この作用側集電体２４Ａの前面に電気的に接続して配置された作用側分極性電極２４Ｂとから構成されている。
【００５０】
なお、「電気的に接続」とは、直接接触している場合のみでなく、導電体、例えば導電性接着剤等を介して接続する場合も含むものである（以下同じ）。
【００５１】
中間支持体１６は、作用側分極性電極２４Ｂとほぼ等しい厚さの樹脂材料からなり、且つ、この作用側分極性電極２４Ｂの平面形状における外形とほぼ同一形状の作用側中間貫通孔２１Ａを有し、作用側分極性電極２４Ｂは、作用側中間貫通孔２１Ａ内に収納されている。
【００５２】
又、先端支持体１８は、薬液保持部３０とほぼ等しい厚さの樹脂材料からなり、作用側分極性電極２４Ｂの平面形状における外形とほぼ同一形状の作用側先端貫通孔２２Ａを有し、この作用側先端貫通孔２２Ａ内に、薬液保持部３０が収納されている。
【００５３】
非作用側電極構造体４０は、基端支持体１４側から、直流電源１２における、薬物イオンと反対の極性の、陽極又は陰極に接続された非作用側電極４４と、この非作用側電極４４の前面に配置され、電解液を保持する電極側電解液保持部４６と、同様の電解液を保持する先端側電解液保持部４８と、薬物イオンと反対符号のイオンを選択的に通過させる第３イオン選択性膜５０と、先端側電解液保持部４８に保持されている電解液と同一の電解液を含む粘性液体を塗布して形成された非作用側生体接触部５２とを、この順で積層して構成されている。
【００５４】
非作用側電極４４は、樹脂シート３６の前面に、作用側電極２４の作用側集電体２４Ａと離間して膜状に印刷された炭素を含む材料からなる非作用側集電体４４Ａと、この非作用側集電体４４Ａに接触して設けられた非作用側分極性電極４４Ｂとから構成されている。
【００５５】
非作用側分極性電極４４Ｂは、中間支持体１６と等しい厚さとされ、これに形成された非作用側中間貫通孔４１Ａに収納されている。又、先端側電解液保持部４８は、先端支持体１８と等しい厚さとされ、先端支持体１８に形成された非作用側先端貫通孔４２Ａに収納されている。
【００５６】
この実施例において、貫通孔２２Ａ、２１Ａ、４１Ａ、４２Ａはいずれも円形とされ、更に、作用側電極２４、セパレータ２６、第２イオン選択性膜２８、薬液保持部３０、第１イオン選択性膜３２及び作用側生体接触部３４も、円形膜状あるいはシート状とされている。
【００５７】
同様に、非作用側電極４４、電極側電解液保持部４６、先端側電解液保持部４８、第３イオン選択性膜５０及び非作用側生体接触部５２も、円形の膜あるいはシート状とされている。
【００５８】
図２、図３に拡大して示されるように、樹脂シート３６には、作用側電極２４における作用側集電体２４Ａ及び非作用側電極４４における非作用側集電体４４Ａに、連続的に膜状に印刷して形成された炭素を含む材料からなる作用側導線１９Ａ及び非作用側導線１９Ｂがそれぞれ接続されている。
【００５９】
これらの作用側導線１９Ａ及び非作用側導線１９Ｂは、その先端においてコネクタ１９Ｃを介して直流電源１２に接続されている。又、作用側導線１９Ａ及び非作用側導線１９Ｂの樹脂シート３６と反対側面には、例えばポリイミドフィルムからなる絶縁フィルム１９Ｄが粘着されている。この絶縁フィルム１９Ｄは、作用側導線１９Ａ及び非作用側導線１９Ｂの、樹脂シート３６と接触する範囲及び樹脂シート３６からの突出部分の一定範囲を覆う長さとされている。
【００６０】
この実施形態においては、図１、図４に示されるように、円形の各部材を作用側電極構造体２０と非作用側電極構造体４０のそれぞれにおいて厚さ方向に重ねて配置し、図５に示されるように一体的にして、イオントフォレーシス装置１０が構成されている。
【００６１】
ここで、中間支持体１６の作用側及び非作用側中間貫通孔２１Ａ、４１Ａには、それぞれ作用側分極性電極２４Ｂ及び非作用側分極性電極４４Ｂが収納された状態で、その上下から他の部材によって挟み込まれ、同様に、先端支持体１８における作用側及び非作用側先端貫通孔２２Ａ、４２Ａにも、薬液保持部３０及び先端側電解液保持部４８がそれぞれ収納された状態で、その上下から他の部材によって挟み込まれ、更に、基端支持体１４と中間支持体１６との間及び中間支持体１６と先端支持体１８との間の部材がそれぞれこれらによって挟み込まれて位置決め固定されるようになっている。
【００６２】
作用側電極２４及び非作用側電極４４における作用側集電体２４Ａ及び非作用側集電体４４Ａの外径は、作用側及び非作用側中間貫通孔２１Ａ、４１Ａの直径よりもやや大きく、これらの外周部分が、基端支持体１４と中間支持体１６との間に挟み込まれるようにされている。
【００６３】
図４の符号５６は接着剤を示し、この接着剤５６は、絶縁フィルム１９Ｄにおける作用側及び非作用側集電体２４Ａ、４４Ａの間の中間部分を横断して配置され、絶縁フィルム１９Ｄと中間支持体１６を接着し、絶縁フィルム１９Ｄと中間支持体１６との間を作用側と非作用側とに隔絶させるものである。
【００６４】
又、図１の符号５８は作用側生体接触部３４及び非作用側生体接触部５２を覆って先端支持体１８の前面に剥離可能に取り付けられたリリースライナーを示す。
【００６５】
次に、上記各構成要素の材料、成分等について説明する。
【００６６】
この実施形態において、薬液保持部３０は、ＰＰ（ポリプロピレン）不織布に薬物を含む粘性液体を含浸させて構成されている。又、薬液保持部３０に含浸された薬物は、水等の溶媒に溶解するなどにより薬効成分が陽又は陰のイオン（薬物イオンに解離する薬剤（薬剤の前駆体を含む））を含有し、薬効成分が陽のイオンに解離する薬剤としては、麻酔薬である塩酸リドカイン、麻酔薬である塩酸モルヒネ等を例示することができ、薬効成分がマイナスのイオンに解離する薬剤としては、ビタミン剤であるアスコルビン酸等を例示することができる。
【００６７】
又、上記の他に、ホルモン、ＤＮＡ、ＲＮＡ、蛋白質、アミノ酸、ミネラル類、リポソームも含むものとする。
【００６８】
非作用側電極構造体４０における電極側電解液保持部４６は、ＰＰ不織布に電解液（詳細後述）を含む粘性液体を含浸させたものである。又、先端側電解液保持部４８も、ＰＰ不織布に同様の電解液を含む粘性液体を含浸させたものである。
【００６９】
電極側電解液保持部４６及び先端側電解液保持部４８に用いられる電解液は電解質を主成分とし、この電解質は、水の電解反応（陽極での酸化及び陰極での還元）よりも酸化又は還元され易い電解質、例えば、アスコルビン酸（ビタミンＣ）やアスコルビン酸ナトリウム等の医薬剤、乳酸、シュウ酸、リンゴ酸、コハク酸、フマル酸等の有機酸及び／又はその塩を使用することが特に好ましく、これにより酸素ガスや水素ガスの発生を抑制することが可能であり、又、溶媒に溶解した際に緩衝電解液となる組合せの複数種の電解質を配合することにより、通電中におけるｐＨの変動を抑制することができる。
【００７０】
上記のような薬物あるいは電解液を含む粘性液体は、例えば水（イオン交換水）に、ＨＰＣ（ヒドロキシプロピルセルロース）（例えば日本曹達（株）のＨ−Ｔｙｐｅ）、あるいは、水に溶けないセルロースを化学的に処理して水溶性の高分子としたメトローズ（例えば信越化学工業（株）の９０ＳＨ−１００００ＳＲ）等の粘着性材料を２質量％以上混合して製造することができる。
【００７１】
作用側電極２４における作用側分極性電極２４Ｂ及び非作用側電極４４における非作用側分極性電極４４Ｂは、共に、活性炭、好ましくは炭素繊維又は炭素繊維紙により形成されている導電性基材を主成分として構成されている。作用側及び非作用側分極性電極２４Ｂ、４４Ｂとして、活性炭繊維のみを用いる場合は、活性炭繊維からなる布及びフェルトを組み合わせて層を形成すると良い。又、導電性基材に対して、例えばバインダーポリマー中に活性炭を分散させた層を積層させても良い。上記活性炭は比表面積が１０ｍ２／ｇ以上のものを用いてもよい。
【００７２】
作用側分極性電極２４Ｂには、薬液保持部３０に保持されている薬物と同一の薬物を含む粘性液体が含浸され、又、非作用側分極性電極４４Ｂには、電極側電解液保持部４６に保持される電解液と同一の電解液を含む粘性液体が含浸されている。
【００７３】
作用側電極２４における作用側集電体２４Ａ及び非作用側電極４４における非作用側集電体４４Ａは、共に、ＰＥＴ（ポリエチレンテレフタレート）素材に炭素と接着剤とを混ぜたものを印刷して形成されている。
【００７４】
なお、作用側集電体２４Ａ、非作用側集電体４４Ａの材料としては導電性を有するものであればよく、炭素以外に、金、白金、銀、銅、亜鉛等の導電性の金属を用いても良い。又、印刷によることなく、炭素、金等の導電性素材そのものを集電体としても良い。又、作用側導線１９Ａ、非作用側導線１９Ｂの材料についても同様である。
【００７５】
セパレータ２６は、ＰＰ不織布に、薬液保持部３０に保持された薬物と同一の薬物を含有する粘性液体を含浸させたものであり、作用側分極性電極２４Ｂと第２イオン選択性膜２８との間に介在させることによって、両者の物理的な接触を防止するものである。
【００７６】
第１イオン選択性膜３２は、薬物イオンと同一符号のイオンを選択的に通過させるようにイオン交換基が導入されたイオン交換樹脂を含んで構成されている。即ち、第１イオン選択性膜３２は、薬液保持部３０の薬液がカチオンに解離するときは陽イオン交換樹脂を含み、アニオンに解離するときは陰イオン交換樹脂を含んでいる。
【００７７】
第２イオン選択性膜２８は、薬物イオンと反対符号のイオンを選択的に通過させるようにイオン交換基が導入されたイオン交換樹脂を含有して構成されている。即ち、第２イオン選択性膜２８は、薬液保持部３０の薬液がカチオンに解離するときは陰イオン交換樹脂を含み、アニオンに解離するときは陽イオン交換樹脂を含んでいる。
【００７８】
第３イオン選択性膜５０は、第２イオン選択性膜２８と同様に、薬物イオンと反対符号のイオンを選択的に通過させるようにイオン交換基が導入されたイオン交換樹脂を含んで構成されている。即ち、第３イオン選択性膜５０は、薬液保持部３０の薬液がカチオンに解離するときは陰イオン交換樹脂を含み、アニオンに解離するときは陽イオン交換樹脂を含んでいる。
【００７９】
上記陽イオン交換樹脂としては、ポリスチレン樹脂やアクリル酸系樹脂等の炭化水素系樹脂やパーフルオロカーボン骨格を有するフッ素系樹脂等の３次元的な網目構造を持つ高分子に、スルホン酸基、カルボン酸基、ホスホン酸基等の陽イオン交換基（対イオンが陽イオンである交換基）が導入されたイオン交換樹脂が制限無く使用することができる。
【００８０】
又、上記陰イオン交換樹脂としては、陽イオン交換樹脂と同様の３次元的な網目構造を持つ高分子に、１〜３級アミノ基、４級アンモニウム基、ピルジル基、イミダゾール基、４級ピリジウム基、４級イミダゾリウム基等の陽イオン交換基（対イオンが陰イオンである交換基）が導入されたイオン交換樹脂が制限無く使用できる。
【００８１】
作用側生体接触部３４は、薬液保持部３０に含浸されているものと同一の粘性液体を、第１イオン選択性膜３２の前面に塗布して構成されている。又、非作用側生体接触部５２は、先端側電解液保持部４８に用いられた電解液と同一の電解液を含有する粘性液体を第３イオン選択性膜５０の前面に塗布して構成されている。なお、これらの塗布された粘性液体の上に、リリースライナー５８を貼り付けることによって、粘性液体が拡がってしまうことを抑制するため、塗布量は各々７μＬと少な目にするのが良い。
【００８２】
イオントフォレーシス装置１０の組立時には、図１あるいは図４に示される状態で、各構成部材を配置して積層し、あるいは、貫通孔に収納し、リリースライナー５８上に、基端支持体１４、中間支持体１６、先端支持体１８を順次重ねて、これらを粘着層１６Ａ、１４Ａにより粘着して固定し、組立を完了する。
【００８３】
直流電源１２としては、ボタン電池、あるいは、例えば特開平１１−０６７２３６号公報、米国特許公開公報２００４／０１８５６６７Ａ１号公報、米国特許第６８５５４４１号公報等に開示される薄型の電池を使用することができ、本実施形態の構造に限定されるものでない。
【００８４】
次に、イオントフォレーシスによって投与すべき薬物を塩酸リドカインとした場合のイオントフォレーシス装置１０における各構成部分の具体例について説明する。
【００８５】
基端支持体１４、中間支持体１６、先端支持体１８は、それぞれ厚さ約１ｍｍの発泡ポリウレタンシートを用いた。
【００８６】
作用側集電体２４Ａ及び非作用側集電体４４ＡはＰＥＴ素材に炭素と接着剤を混ぜたものを印刷した印刷電極とした。又、直径１７ｍｍの円形で、厚さ１．０ｍｍの活性炭繊維からなる活性炭繊維層を構成した。この活性炭繊維層に水とＨＰＣ及び塩酸リドカインを混合した粘性液体を含浸させて作用側分極性電極２４Ｂとした。又、活性炭繊維層に、水とＨＰＣ及びＮａＣｌを混合した粘性液体を含浸させて非作用側分極性電極４４Ｂを構成した。各々の重量は１２０〜１２５ｍｇとした。
【００８７】
セパレータ２６は、直径１８ｍｍ、厚さ０．１ｍｍのＰＰ不織布から構成して、水にＨＰＣ及び塩酸リドカインを混合した粘性液体を含浸させた。第２イオン選択性膜２８は、直径２１ｍｍ、厚さ３０μｍのアニオン交換膜とした。
【００８８】
薬液保持部３０は、厚さ１．０ｍｍ、直径１７ｍｍのＰＰ不織布に水とＨＰＣ及び塩酸リドカインを混合した粘性液体を含浸させたものであり、重量は２５０〜３２０ｍｇとした。
【００８９】
第１イオン選択性膜３２は、厚さ３０μｍ、直径１９ｍｍのカチオン交換膜とした。この第１イオン選択性膜３２の面積は、電流値を考慮して決定する。例えば電流値が１ｍＡの場合は、直径１９ｍｍで、電流密度が０．３５ｍＡ／ｃｍ２となる。ここでは、薬効のあるカチオン（リドカイン）をイオン交換基に置換しておく。
【００９０】
作用側生体接触部３４は、水にＨＰＣ及び塩酸リドカインを混合した粘性液体を第１イオン選択性膜３２に塗布したものであり、塗布量は７−２５μＬとした。
【００９１】
非作用側電極構造体４０における電極側電解液保持部４６は、非作用側分極性電極４４Ｂで用いたと同一のＮａＣｌを含有する粘着液体をＰＰ不織布に含浸した構成とし、直径１８ｍｍ、厚さ１００μｍとした。又、先端側電解液保持部４８は、直径が１７ｍｍ、厚さ１ｍｍのＰＰ不織布に前記と同様の粘性液体を含浸させたものであり、重量は２５０〜３２０ｍｇとした。又、イオン選択性膜５０は、厚さ３０μｍ、直径２１ｍｍとし、塩化物イオンをイオン交換基に置換されたアニオン交換膜とした。
【００９２】
非作用側生体接触部５２は、前記と同様の粘性液体をイオン選択性膜５０に塗布したものである。
【００９３】
次に本実施形態の効果について説明する。
【００９４】
本実施形態に係るイオントフォレーシス装置１０においては、各々１枚のシート状材料からなる中間支持体１６及び先端支持体１８に形成された貫通孔内に、作用側電極構造体及び非作用側電極構造体のそれぞれ一部を構成する薬液保持部や電解液保持部あるいは電極の一部である分極性電極を収納して、且つ、これらを他の膜や部材によって挟み込んで支持すると共に、これら中間支持体１６と先端支持体１８及び基端支持体１４との間に挟み込んで位置決め固定し、作用側電極構造体２０及び非作用側電極構造体４０を一体的に同時に構成することができる。
【００９５】
又、イオントフォレーシス装置１０の製造に際しては、先端支持体１８及び中間支持体１６に形成された貫通孔とほぼ同一形状の分極性電極、イオン選択性膜、薬液保持部、電解液保持部等を重ねるのみであるので、製造が容易であり、且つ大量生産が可能である。
【００９６】
又、このイオントフォレーシス装置１０において、作用側電極２４及び非作用側電極４４は、共に、集電体と分極性電極から構成されているので、従来のイオントフォレーシス装置における通電時の電極反応を生じることがなく、あるいはそのような電極反応を低減させた状態で、電解液や薬物への通電をすることができ、その結果、酸素ガス、塩素ガス又は水素ガス等のガスの発生、あるいは水素イオン、水酸基イオン、次亜塩素酸等の好ましくないイオンの発生を抑止し、あるいは低減させることができる。
【００９７】
又、このイオントフォレーシス装置１０において、中間支持体１６の作用側及び非作用側中間貫通孔２１Ａ、４１Ａに、それぞれ作用側分極性電極２４Ｂと非作用側分極性電極４４Ｂを、厚さ方向に圧縮されないように収納しているので、これらが、活性炭繊維層に薬物あるいは電解液を含む粘性液体を含浸させた構成であっても、外力によって圧迫されて、含浸された薬物、電解液が漏出し難くなる。同様に、作用側先端貫通孔２２Ａに収納された薬液保持部３０の薬物、及び非作用側先端貫通孔４２Ａに収納された先端側電解液保持部４８の電解液が外力によって漏出し難くなる。
【００９８】
又、この実施形態において、作用側導線１９Ａ及び非作用側導線１９Ｂは、作用側電極２４の一部を構成する作用側集電体２４Ａ及び非作用側電極４４の一部を構成する非作用側集電体４４Ａと共に炭素を含む材料を印刷して形成されているが、特にこの構成に限定されるものではない。これら作用側導線１９Ａ及び非作用側導線１９Ｂをそれぞれ、例えば銀等の金属膜から構成することにより、樹脂シート３６から剥がれ難く、且つ抵抗を低くすることができ、又、樹脂シート３６を湾曲させることもできる。この場合、作用側集電体２４Ａ及び非作用側集電体４４Ａから、作用側導線１９Ａ及び非作用側導線１９Ｂへの接続部を、図６に示されるようにテーパ面２５、４５とすると良い。
【００９９】
中間支持体１６に対して、基端支持体１４は、絶縁フィルム１９Ｄの部分では粘着しないので、これらの間に分極性電極に含浸された薬物又は電解液が浸入することによって作用側電極２４と非作用側電極４４が導通してしまう可能性があるが、この実施形態においては、接着剤５６によって、作用側集電体２４Ａと非作用側集電体４４Ａの間の位置で、絶縁フィルム１９Ｄを中間支持体１６の図において上面に接着させて、作用側電極２４と非作用側電極４４との間を隔絶して、両者の導通を防止している。
【０１００】
又、上記作用側電極構造体２０において、セパレータ２６が設けられているが、これは、作用側分極性電極２４Ｂと第２イオン選択性膜２８との直接的な接触を防止し、通電時に第２イオン選択性膜２８の近傍において塩素ガスなどの気泡が発生し、これにより電極構造体内における通電性が損なわれることを防止するためのものであり、他の手段によって直接接触を防止できる場合は不要である。また、作用側分極性電極２４Ｂと第２イオン選択性膜２８とが直接的に接触したとしても、通電時に第２イオン選択性膜２８の近傍において塩素ガスなどの気泡が発生しない場合には、セパレータ２６などの両者の直接接触を防止するための手段は不要である。
【０１０１】
更に、電極側電解液保持部４６と先端側電解液保持部４８とは、ＰＰ不織布に、電解液を含む粘性液体を含浸させた構成において共通であるので、一体的に構成しても良い。
【０１０２】
又、作用側生体接触部３４及び非作用側生体接触部５２は、第１イオン選択性膜３２及び第３イオン選択性膜５０のそれぞれが、生体の皮膚や粘膜に十分に接触することができるものであれば必ずしも設ける必要は無い。
【０１０３】
更に、上記実施形態において、作用側電極構造体及び非作用側電極構造体は、先端支持体、中間支持体及び基端支持体に形成された貫通孔に薬液保持部を配置したり、又、これらの支持体の間に膜を挟持したりする構成であるが、本発明はこれに限定されるものでなく、先端支持体、中間支持体、基端支持体を用いることなく、例えば、ケース状のバッキング材の中に、薬液保持部、電解液保持部、イオン選択性膜などを重ねて配置するようにした構成であってもよい。
【０１０４】
更に又、作用側及び非作用側電極、薬液保持部、イオン選択性膜、第１〜第４貫通孔は円形とされているが、本発明はこれに限定されるものでなく、４角形、あるいは６角形等の形状であってもよい。
【０１０５】
更に、作用側及び非作用側分極性電極２４Ｂ、４４Ｂは、必ずしも、薬物や電解液を含浸させなくてもよい。
【０１０６】
又、作用側及び非作用側導線１９Ａ、１９Ｂの樹脂シート３６と反対側面が絶縁フィルム１９Ｄによって覆われているが、本発明はこれに限定されるものでなく、絶縁フィルム１９Ｄを設けない場合にも適用されるものである。この場合、接着剤５６は、樹脂フィルム３６と中間支持体１６とを接着させるものとなる。要するに、接着剤５６は、樹脂フィルム３６側の部材と中間支持体１６とを接着させるものであればよい。
【０１０７】
次に、図７に示される本発明の第２実施形態に係るイオントフォレーシス装置６０について説明する。
【０１０８】
このイオントフォレーシス装置６０は、中間支持体１６と先端支持体１８との間に挟み込まれた各部材や、先端支持体１８の前面に配置された部材が面方向に位置ずれを生じないように、貫通孔２２Ａ、２１Ａ、４１Ａ及び４２Ａの両面又は片面に、接触する部材が入り込む段差部を形成したものである。
【０１０９】
具体的には、先端支持体１８の両面における、作用側先端貫通孔２２Ａの周囲には、第１イオン選択性膜３２及び第２イオン選択性膜２８の外径及び厚さとほぼ等しい外径及び深さの段差部２２Ｂ、２２Ｃがそれぞれ形成されている。又、先端支持体１８の前面における非作用側先端貫通孔４２Ａの周囲には、第３イオン選択性膜５０の外径及び厚さにほぼ等しい外径及び深さの段差部４２Ｂが設けられている。
【０１１０】
中間支持体１６の前面における、作用側中間貫通孔２１Ａの周囲には、セパレータ２６の外径及び厚さにほぼ等しい外径及び深さの段差部２１Ｂが形成されていて、更に、非作用側中間支持体４１の前面における非作用側中間貫通孔４１Ａの周囲には、電極側電解液保持部４６の外径及び厚さにほぼ等しい外径及び深さの段差部４１Ｂが形成されている。
【０１１１】
このイオントフォレーシス装置６０においては、上記段差部以外の構成は、イオントフォレーシス装置１０と同一であるので、同一構成部分には同一の符号を付することにより説明を省略するものとする。
【０１１２】
このイオントフォレーシス装置６０は、貫通孔の両面又は片面に、対応する層あるいは膜等とほぼ外形、厚さが等しい段差部が形成されているので、組立過程及び組立状態で、これら各層、膜がずれることが無い。
【図面の簡単な説明】
【０１１３】
【図１】本発明の実施の形態に係るイオントフォレーシス装置を示す分解斜視図
【図２】同イオントフォレーシス装置における作用側電極及び非作用側電極部分を拡大して示す平面図
【図３】図２のIII−III線に沿う拡大断面図
【図４】同イオントフォレーシス装置を示す分解断面図
【図５】同イオントフォレーシス装置の組立状態を示す断面図
【図６】イオントフォレーシス装置における作用側及び非作用側集電体に接続される作用側及び非作用側導線の変形例を示す図３と同様の断面図
【図７】本発明の実施の形態の第２例に係るイオントフォレーシス装置を示す分解断面図
【符号の説明】
【０１１４】
１０、６０…イオントフォレーシス装置
１２…直流電源
１４…基端支持体
１６…中間支持体
１８、６２、６４…先端支持体
１９Ａ…作用側導線
１９Ｂ…非作用側導線
２０…作用側電極構造体
２１Ａ…作用側中間貫通孔
２１Ｂ…段差部
２２Ａ…作用側先端貫通孔
２２Ｂ、２２Ｃ…段差部
２４…作用側電極
２４Ａ…作用側集電体
２４Ｂ…作用側分極性電極
２５、４５…テーパ面
２６…セパレータ
２８…第２イオン選択性膜
３０…薬液保持部
３２…第１イオン選択性膜
３４…作用側生体接触部
３６…樹脂シート
４０…非作用側電極構造体
４１Ａ…非作用側中間貫通孔
４１Ｂ…段差部
４２Ａ…非作用側先端貫通孔
４２Ｂ…段差部
４４…非作用側電極
４４Ａ…非作用側集電体
４４Ｂ…非作用側分極性電極
４６…電極側電解液保持部
４８…先端側電解液保持部
５０…第３イオン選択性膜
５２…非作用側生体接触部
５６…接着剤
５８…リリースライナー
【図１】
2007260082.tif 000003
【図２】
2007260082.tif 000004
【図３】
2007260082.tif 000005
【図４】
2007260082.tif 000006
【図５】
2007260082.tif 000007
【図６】
2007260082.tif 000008
【図７】
2007260082.tif 000009